(57)【要約】【課題】  本考案は、安全性を確保することを主目的とし、同時に自動車やブルドーザー等の重機械で踏まれても地盤中に入っていかない杭を提供することをも目的とする。【解決手段】  本考案の軟質性杭１は、筒部１１と先端部１２からなる。筒部１１は、中空円筒形状をしており、筒部１１の上端１１ａは、開口になっている。また、材質は、軟質性の合成樹脂を用いている。先端部１２は、円錐の母線を曲線にした略円錐形状をしており、円錐の底面にあたる先端上面１２ａには、円柱形状の凹部１３が形成される。先端部２は、硬質性の材料で形成される。先端部１２と筒部１１の結合は、筒部１１の下方側面１１ｃ及び筒部の下端１１ｂおよび下方側面１１ｃに、粘着力の強い接着剤を塗って、それぞれ凹部１３の側面１３ａ、凹部１３の底面１３ｂと接着させる構造になっている。【選択図】  図１
0003107557.tif 000002
【実用新案登録請求の範囲】
【請求項１】
先端部と筒部とから成る杭であって、前記先端部は略円錐形状にし、前記筒部はその上端を開口とした中空円筒形状にし、かつ前記筒部の材質を軟質性合成樹脂としたことを特徴とする軟質性杭。
【請求項２】
請求項１に記載の軟質性合成樹脂が塩化ビニールであることを特徴とする請求項１に記載の軟質性杭。
【請求項３】
前記先端部の底面部に円柱形状の凹部を設け、その凹部に前記筒部下端および下方側面を接着した構造であることを特徴とする請求項１乃至請求項２に記載の軟質性杭。
【請求項４】
請求項１乃至３に記載の軟質性杭を地盤に打込む時に使用する打込棒であって、頭部と挿入部から成り、前記挿入部を円柱形にし、前記挿入部の径を前記筒部の中空円筒の内径より小さくしたことを特徴とする打込棒。
【考案の詳細な説明】
【技術分野】
【０００１】
本考案は、建設工事や自転車、自動車、スキー等の各競技のコースマーカーやゴルフ場等において標示板を立てるための差し込み用杭として使用される杭であって、特に杭の筒部の材質を軟質性とし、安全性を考慮した軟質性杭に関する。
【背景技術】
【０００２】
従来から使用されてきた杭は、木製、鋼製、コンクリート製が一般的だった。これらは、剛性が強く、地盤に打込むのに適したものである。しかしながら、それぞれの材料には利点もあるが、欠点もある。例えば、木製杭は、軽量で加工しやすいが白蟻に弱い。また、鋼製杭は、加工が難しく、外に置いておくと酸化により腐食しやすい。コンクリート製杭は、重量が重く、切断等の加工は難しい。このような従来の杭の欠点を解消する杭として、特開２００２−０２１０６６では、多数の貫通孔が形成された剛体と、前記剛体を内部に埋入させた柱状のプラスチックスの本体とからなる杭が開示されている。
【特許文献１】特開２００２−０２１０６６
【考案の開示】
【考案が解決しようとする課題】
【０００３】
しかしながら、上記のような杭の開発の方向は、安全性の面から見て問題がある。つまり、材質が木製、鋼製、コンクリート製であると強度は強い反面、人がぶつかると怪我をする危険がある。また、例えば、工事現場において、誤って、杭を自動車やブルドーザー等の重機械で踏むと地盤中に入っていってしまい、地表面上からは見えなくなり、杭を打った意味がなくなる。本考案は、安全性を確保することを主目的とし、同時に自動車やブルドーザー等の重機械で踏まれても地盤中に入っていかない杭を提供することをも目的とする。
【課題を解決するための手段】
【０００４】
上記課題を解決するために、第１の考案は、先端部と筒部とから成る杭であって、前記先端部は略円錐形状にし、前記筒部はその上端を開口とした中空円筒形状にし、かつ前記筒部の材質を軟質性合成樹脂としたことを特徴とする。
【０００５】
第２の考案は、軟質性合成樹脂が塩化ビニールであることを特徴とする。
【０００６】
第３の考案は、前記先端部の底面部に円柱形状の凹部を設け、その凹部に前記筒部下端および下方側面を接着した構造であることを特徴とする。
【０００７】
第４の考案は、本考案の軟質性杭を地盤に打込む時に使用する打込棒であって、頭部と挿入部から成り、前記挿入部を円柱形にし、前記挿入部の径を前記筒部の中空円筒の内径より小さくしたことを特徴とする。
【考案の効果】
【０００８】
第１の考案によれば、先端部と筒部とから成る杭であって、前記先端部は略円錐形状にし、前記筒部はその上端を開口とした中空円筒形状にしているので、その中空円筒部にさまざまな種類の標識板を差し込むことができる。例えば、運動場において、サッカーの試合時には、サッカー場の四隅にある軟質性杭にフラッグを差し込むことができ、また、ゲートボールの試合を同じ場所でやる時には、サッカーで使ったフラッグを外し、ゲートボールで使うフラッグを同じ軟質性杭に差し込むことができる等、簡易な標識板を立てるのに便利である。また前記筒部の材質を軟質性合成樹脂としているので、安全性に優れ、例えば、人の足が本考案の軟質性杭の筒部にぶつかっても怪我をしにくい。
【０００９】
第２の考案によれば、軟質性杭の筒部の材質である軟質性合成樹脂が塩化ビニールであるので、適度な柔らかさがありながら丈夫であるので、安全性に優れ、例えば、人の足が本考案の軟質性杭の筒部にぶつかっても怪我をしにくい。また、塩化ビニールは、施工性、耐久性に優れ、燃えにくいので大量生産しやすく、いろいろな条件下での使用を可能とする。
【００１０】
第３の考案によれば、前記先端部の底面部に円柱形状の凹部を設け、その凹部に前記筒部下端および下方側面を接着した構造であるので、生産する時に、前記先端部と前記筒部を結合する作業がやりやすい。このため、生産の効率を上げることができる。
【００１１】
第４の考案によれば、本考案の軟質性杭を地盤に打込む時に使用する頭部と挿入部から成る打込棒において、前記挿入部を円柱形にし、前記挿入部の径を前記筒部の中空円筒の内径より小さくしたので、本考案の軟質性杭を打込む時に、前記筒部の中空円筒形状の中空部分に挿入し、頭部にハンマー等で力を加えることによって、容易に本考案の軟質性杭を地盤に打込むことができる。
【考案を実施するための最良の形態】
【００１２】
第１の実施例
以下本考案の第１の実施例について、図面を参照しながら説明する。図１（Ａ）は、本考案の軟質性杭１を示すものである。本考案の軟質性杭１は、筒部１１と先端部１２からなる。
【００１３】
筒部１１は、中空円筒形状をしており、筒部１１の上端１１ａは、開口になっている。一方、筒部１１の下端１１ｂは、閉じていてもいなくてもどちらでもよい。この筒部１１の材質は、合成樹脂、特に軟質性の合成樹脂（例えば、加流ゴム粒子を含んだウレタン系樹脂や塩化ビニール材、発砲スチロール材）を用いることが好適である。こうすることによって、人の足が本考案の軟質性杭の筒部にぶつかっても怪我をしにくい。
【００１４】
先端部１２は、円錐の母線を曲線にした略円錐形状をしており、円錐の底面にあたる先端上面１２ａには、円柱形状の凹部１３が設けられている。先端部２の材質は、硬質性の材料（例えば、金属、硬質塩化ビニール材、硬質プラスチック、ポリプロピレン材）を用いる。先端部１２と筒部１１の結合は、筒部１１の下方側面１１ｃ及び筒部の下端１１ｂに、粘着力の強い接着剤を塗って、それぞれ凹部１３の側面１３ａ、凹部１３の底面１３ｂと接着させる構造になっている。
【００１５】
第２の実施例
図３（Ａ）は、本考案の第２の実施例における先端部１２と筒部１１の結合構造を示す図である。筒部の下方側面部１１ｃを先端部１２の先端上面１２ａ側から被せ、その上から輪状のリング１４によって締め付ける。この輪状のリングは、図３（Ｂ）に示すように円形状になっていて、一端が開いており、その役割は筒部１１が先端部１２から外れないようにするための留め金としての役割を果たしている。第２の実施例においては、筒部１１の下端１１ｂは、開口に成っている必要がある。
【００１６】
図１（Ｂ）は、本考案の打込棒２を示す図である。打込棒２は、挿入部２１と頭部２２から成る。挿入部２１は、円柱形状をしている。また、打込棒２は、図２に示すような態様で軟質性杭１の筒部１１の中空円筒部分に挿入するので、その径は、軟質性杭１の筒部１１の中空円筒の内径よりわずかに小さくなっている。頭部２２は、本考案の軟質性杭を地盤４に打込む際に力を直接加える部分である。したがって、力を加えやすいような形状が好ましく、例えば、図１に示すように挿入部２１の径よりも径を大きくした円柱形状にするのが好適である。
【００１７】
本考案の打込み方法
図４（Ａ）〜（Ｃ）は、本考案の軟質性杭１を地盤４に打込む過程を示す図である。図４（Ａ）は、軟質性杭１の筒部１１の中空円筒部に挿入した打込棒２の頭部２２をハンマー３で叩いて力を加えている図である。ハンマー３で頭部２２に力を加えることによって、挿入部２１の下端を介して、先端部１２に力が加わる。軟質性杭１は、先端部１２が硬質性であるが、筒部１１が軟質性であるために、ハンマー３で筒部１１に力を加えることはできない。このため、打込棒２を使って本考案の軟質性杭１を打込む必要がある。
【００１８】
図４（Ｂ）は、本考案の軟質性杭１をある程度の深さまで打込んだ様子を示しており、その後、打込棒２は、図４（Ｃ）に示すように取り除く。これで本考案の軟質性杭１の打込み作業は完了である。
【００１９】
本考案の軟質性杭１は、標識板を差し込まないで使用するときは、そのままにしておくと筒部１１の上端１１ａの開口からゴミや泥が入って筒部１１の中空円筒部の中に詰まってしまうことがあるので、図５に示すように筒部１１の中空部に挿入できる蓋５を差し込んでおく。
【産業上の利用可能性】
【００２０】
本考案の軟質性杭１は、例えば、ゴルフ場のコースに上記方法によって打込み、図６（Ａ）に示すように、例えば、２５０ヤード地点を表す標識板６を筒部１１の中空部分に差し込んで簡易な標識の一部として使用できる。以上のような標識板以外にも測量標示のポール等その状況に応じて、いろいろな種類の標識板を差し込める。
【００２１】
標識板の差し込み杭以外の利用可能性としては、例えば、車の教習所では、車のスラロームにおいて、等間隔でポールを立てているが、そのポール代わりに使える。このポールがコーンのような簡易のポールであると、車がコーンに接触した場合、コーンが簡単に移動し、その都度所定の位置に置き直す必要がある。しかし、本考案の軟質性杭を使うと車のタイヤ７を接触させても、図６（Ｂ）に示すように軟質性杭は移動せず、変形するだけで、もとに戻るので便利である。また、誤って車を硬質性のポールにぶつけた場合、車に傷が付く。しかしながら、本考案の軟質性杭１を使えば、誤って車を軟質性杭１にぶつけても軟質性杭１が軟質性であるから、図６（Ｂ）に示すようにつぶれるだけなので車に傷をつけることはない。
【００２２】
また、運動場等において一般的に使われている硬質性杭を使用した場合、何かの拍子で人がその硬質性杭に体の一部をぶつけ、怪我をする危険性があるが、本考案の軟質性杭は材質が軟いので、足で踏んでも図６（Ｃ）に示すように変形するだけであるので安全面も問題はない。
【図面の簡単な説明】
【００２３】
【図１】本考案の第１の実施例の軟質性杭と打込棒を示す斜視図である。
【図２】本考案の第１の実施例の軟質性杭に打込棒を挿入したときの斜視図である。
【図３】（Ａ）は、本考案の第２の実施例の軟質性杭の先端部と筒部の結合構造を示す斜視図である。（Ｂ）は、輪状のリングを示す斜視図である。
【図４】（Ａ）、（Ｂ）、（Ｃ）は、本考案の軟質性杭を地盤に打込む過程を示す図である。
【図５】本考案の軟質性杭に標識板が差し込まれていない時に蓋をした様子を示す図である。
【図６】（Ａ）〜（Ｃ）は、本考案の軟質性杭の使用例を示す図である。（Ａ）は、本考案の軟質性杭に標識板を差し込んだ図である。（Ｂ）は、自動車のタイヤで本考案の軟質性杭を踏んだ様子を示す図である。（Ｃ）は、足で本考案の軟質性杭を踏んだ様子を示す図である。
【符号の説明】
【００２４】
１  軟質性杭
２  打込棒
３  ハンマー
４  地盤
５  蓋
６  標識板
７  タイヤ
８  足
１１  筒部
１１ａ  上端
１１ｂ  下端
１１ｃ  下方側面
１２  先端部
１２ａ  先端上面
１３  凹部
１３ａ  側面
１３ｂ  底面
１４  リング
２１  挿入部
２２  頭部
【図１】
0003107557.tif 000003
【図２】
0003107557.tif 000004
【図３】
0003107557.tif 000005
【図４】
0003107557.tif 000006
【図５】
0003107557.tif 000007
【図６】
0003107557.tif 000008